(57)【要約】【課題】蓋体の着脱性及び端子の接触性を向上可能な電子機器を提供する。【解決手段】携帯電話機１は、筐体部材１７と、筐体部材１７に着脱可能であり、開口部２３が形成された蓋体１９と、筐体部材１７に保持され、開口部２３から露出する充電端子７とを有する。充電端子７は、開口部２３内に挿入される位置と開口部２３から退避した位置との間で移動可能な外部端子部３１と、外部端子部３１を挿入位置へ付勢する弾性部材３５とを有する。【選択図】図８
2010220082.tif 000002
【特許請求の範囲】
【請求項１】
筐体部材と、
前記筐体部材に着脱可能であり、開口部が形成された蓋体と、
前記筐体部材に保持され、前記開口部から露出する端子と、
を有し、
前記端子は、
前記開口部内に挿入される位置と前記開口部から退避した位置との間で移動可能な外部端子部と、
前記外部端子部を前記挿入される位置へ付勢する弾性部材と、
を有する電子機器。
【請求項２】
前記端子は、前記外部端子部に対して移動可能に連結され、前記筐体部材内の電極部に当接される内部端子部を有し、
前記弾性部材は、前記内部端子部の前記電極部側への付勢に兼用されている
請求項１に記載の電子機器。
【請求項３】
前記筐体部材には、前記開口部に対向する貫通孔が形成され、前記外部端子部は、前記貫通孔にその貫通方向に移動可能に挿通され、
前記電極部は、前記貫通孔に対向して設けられ、前記外部端子部には、前記電極部側に開口する凹部が形成され、前記内部端子部は、前記貫通方向に移動可能に前記凹部に挿入され、
前記弾性部材は、前記凹部内において前記内部端子部と前記外部端子部とにより前記貫通方向において圧縮された状態で保持されている
請求項２に記載の電子機器。
【請求項４】
前記筐体部材及び前記蓋体の少なくとも一方は、前記外部端子部が前記開口部内に挿入され且つ前記蓋体の外側面から突出しない位置であるときに、前記外部端子部の前記蓋体の外側面への移動を規制する方向において前記外部端子部に係合する規制部を有する
請求項１〜３のいずれか１項に記載の電子機器。
【請求項５】
前記筐体部材は、前記蓋体の前記筐体部材の外側面に対するスライドにより、前記蓋体の前記筐体部材の外側面からの離間を規制する方向において前記蓋体に係合する係合部を有する
請求項１〜４のいずれか１項に記載の電子機器。
【請求項６】
前記外部端子部は、前記係合部が前記蓋体に係合したときに、前記係合部の係合を解除する方向の前記蓋体のスライドを規制する方向において前記開口部に係合する
請求項５に記載の電子機器。
【請求項７】
前記外部端子部は、前記開口部に挿入されているときに前記蓋体の外側面から突出しない位置に位置しており、
前記開口部の内周面と前記蓋体の内側面との稜部には、前記蓋体の内側面からの大きさが前記外部端子部の前記開口部への挿入量よりも大きい面取り面が形成されている
請求項５又は６に記載の電子機器。
【請求項８】
電子機器と、
前記電子機器が載置される外部機器と、
を有し、
前記電子機器は、
第１筐体部材と、
前記第１筐体部材に着脱可能であり、第１開口部が形成された蓋体と、
前記第１筐体部材に保持され、前記第１開口部から露出する第１端子と、
を有し、
前記外部機器は、前記電子機器が載置されたときに前記第１端子に当接する第２端子を有し、
前記第１端子は、
前記第１開口部内に挿入される位置と前記第１開口部から退避した位置との間で移動可能に前記筐体部材に保持される第１外部端子部と、
前記第１外部端子部を前記挿入される位置へ付勢する第１弾性部材と、
を有し、
前記第２端子は、
前記電子機器が外部機器に載置されたときに、前記第１開口部に挿入されて前記第１外部端子部に当接する第２外部端子部と、
前記第２外部端子部を前記第１外部端子部へ当接させる方向へ付勢する第２弾性部材と、
を有し、
前記電子機器が前記外部機器に載置された状態において、前記第１弾性部材の付勢力は、前記第２弾性部材の付勢力よりも大きい
電子機器ユニット。
【発明の詳細な説明】
【技術分野】
【０００１】
本発明は、携帯電話機、ＰＤＡ、デジタルカメラ、ゲーム機等の電子機器、並びに、これらの電子機器を含む電子機器ユニットに関する。
【背景技術】
【０００２】
充電端子など、筐体の外部に露出する端子を有する電子機器が知られている（例えば特許文献１）。特許文献１では、接点圧を適切に確保するために、充電端子がバネにより筐体の外部側に付勢されている。また、筐体部材と筐体部材に着脱される蓋体とを含む筐体を有するとともに、蓋体に形成された開口部から端子が露出する電子機器も知られている。
【先行技術文献】
【特許文献】
【０００３】
【特許文献１】特開２０００−１０２１７９号公報
【発明の概要】
【発明が解決しようとする課題】
【０００４】
上記のような蓋体の開口部から端子を露出させる電子機器では、蓋体の着脱性を向上させるために、端子は蓋体の内側面よりも奥まったところに配置される。その結果、端子は、蓋体の外側面から蓋体の厚み以上で奥まったところに配置されることになり、当該端子に他の機器の端子を当接させることが困難になる。
【０００５】
本発明の目的は、蓋体の着脱性及び端子の接触性を向上可能な電子機器及び電子機器ユニットを提供することにある。
【課題を解決するための手段】
【０００６】
本発明の電子機器は、筐体部材と、前記筐体部材に着脱可能であり、開口部が形成された蓋体と、前記筐体部材に保持され、前記開口部から露出する端子と、を有し、前記端子は、前記開口部内に挿入される位置と前記開口部から退避した位置との間で移動可能な外部端子部と、前記外部端子部を前記挿入される位置へ付勢する弾性部材と、を有する。
【０００７】
好適には、前記端子は、前記外部端子部に対して移動可能に連結され、前記筐体部材内の電極部に当接される内部端子部を有し、前記弾性部材は、前記内部端子部の前記電極部側への付勢に兼用されている。
【０００８】
好適には、前記筐体部材には、前記開口部に対向する貫通孔が形成され、前記外部端子部は、前記貫通孔にその貫通方向に移動可能に挿通され、前記電極部は、前記貫通孔に対向して設けられ、前記外部端子部には、前記電極部側に開口する凹部が形成され、前記内部端子部は、前記貫通方向に移動可能に前記凹部に挿入され、前記弾性部材は、前記凹部内において前記内部端子部と前記外部端子部とにより前記貫通方向において圧縮された状態で保持されている。
【０００９】
好適には、前記筐体部材及び前記蓋体の少なくとも一方は、前記外部端子部が前記開口部内に挿入され且つ前記蓋体の外側面から突出しない位置であるときに、前記外部端子部の前記蓋体の外側面への移動を規制する方向において前記外部端子部に係合する規制部を有する。
【００１０】
好適には、前記筐体部材は、前記蓋体の前記筐体部材の外側面に対するスライドにより、前記蓋体の前記筐体部材の外側面からの離間を規制する方向において前記蓋体に係合する係合部を有する。
【００１１】
好適には、前記外部端子部は、前記係合部が前記蓋体に係合したときに、前記係合部の係合を解除する方向の前記蓋体のスライドを規制する方向において前記開口部に係合する。
【００１２】
好適には、前記外部端子部は、前記開口部に挿入されているときに前記蓋体の外側面から突出しない位置に位置しており、前記蓋体の内側面からの大きさが前記外部端子部の前記開口部への挿入量よりも大きい面取り面が形成されている。
【００１３】
本発明の電子機器ユニットは、電子機器と、前記電子機器が載置される外部機器と、を有し、前記電子機器は、第１筐体部材と、前記第１筐体部材に着脱可能であり、第１開口部が形成された蓋体と、前記第１筐体部材に保持され、前記第１開口部から露出する第１端子と、を有し、前記外部機器は、前記電子機器が載置されたときに前記第１端子に当接する第２端子を有し、前記第１端子は、前記第１開口部内に挿入される位置と前記第１開口部から退避した位置との間で移動可能に前記筐体部材に保持される第１外部端子部と、前記第１外部端子部を前記挿入される位置へ付勢する第１弾性部材と、を有し、前記第２端子は、前記電子機器が外部機器に載置されたときに、前記第１開口部に挿入されて前記第１外部端子部に当接する第２外部端子部と、前記第２外部端子部を前記第１外部端子部へ当接させる方向へ付勢する第２弾性部材と、を有し、前記電子機器が前記外部機器に載置された状態において、前記第１弾性部材の付勢力は、前記第２弾性部材の付勢力よりも大きい。
【発明の効果】
【００１４】
本発明によれば、蓋体の着脱性及び端子の接触性を向上させることができる。
【図面の簡単な説明】
【００１５】
【図１】本発明の実施形態に係る携帯電話機を閉状態で示す斜視図。
【図２】図１の携帯電話機を含む電子機器ユニットの模式的な側面図。
【図３】蓋体を取り外した状態で示す図１の携帯電話機の斜視図。
【図４】図３の蓋体を内側面から見た斜視図。
【図５】図４の蓋体の着脱過程における携帯電話機の斜視図。
【図６】図１の携帯電話機の充電端子の斜視図及び断面図。
【図７】図１の携帯電話機を充電端子付近において破断して示す斜視図。
【図８】図７の領域ＶＩＩＩ付近を拡大して示す断面図。
【図９】蓋体の着脱過程における図８に対応する断面図。
【図１０】携帯電話機の載置状態における充電端子及び給電端子周辺の断面図。
【発明を実施するための形態】
【００１６】
図１は、本発明の実施形態に係る携帯電話機１を閉状態で示す斜視図である。
【００１７】
携帯電話機１は、いわゆる折り畳み式の携帯電話機として構成されており、開閉可能に互いに連結された送話筐体３及び受話筐体５を有している。送話筐体３及び受話筐体５は、例えば、閉状態における対向方向において薄い薄型直方体状に形成されている。送話筐体３の受話筐体５とは反対側の面（背面３ｂ）には、携帯電話機１を充電するための充電端子７が露出している。
【００１８】
図２は、携帯電話機１及び携帯電話機１を充電する充電装置９を示す模式的な側面図である。なお、携帯電話機１と充電装置９との組み合わせを電子機器ユニット１０ということがある。
【００１９】
充電装置９は、携帯電話機１が載置される充電筐体１１と、充電筐体１１から露出する給電端子１３と、商用電源に接続されるコード１５とを有している。
【００２０】
充電筐体１１は、例えば樹脂により形成されており、携帯電話機１が載置される載置部１１ａを有している。載置部１１ａは、例えば、携帯電話機１が嵌合する凹部により形成されている。給電端子１３は、載置部１１ａにおいて充電筐体１１から突出しており、携帯電話機１が載置部１１ａに載置されると、充電端子７に当接する。そして、商用電源からの電力は、コード１５、充電筐体１１内の不図示の給電回路、及び、給電端子１３を介して充電端子７に供給される。
【００２１】
図３は、蓋体１９を取り外した状態で示す携帯電話機１の斜視図である。
【００２２】
受話筐体５は、バッテリ２１を着脱可能とするために、筐体部材１７と、筐体部材１７に着脱される蓋体１９とを有している。バッテリ２１は、充電端子７を介して充電されるものである。充電端子７は、筐体部材１７に保持され、蓋体１９に形成された開口部２３から露出している。
【００２３】
筐体部材１７は、例えば、樹脂により形成されている。筐体部材１７は、背面３ｂ側に、バッテリ２１が嵌合される凹部１７ａと、凹部１７ａの外周において凹部１７ａとともに蓋体１９により被覆される被覆部１７ｂとを有している。充電端子７は、被覆部１７ｂにおいて筐体部材１７から露出している。
【００２４】
蓋体１９は、例えば、樹脂により形成されている。蓋体１９は、例えば、概略、矩形の板状に形成されている。開口部２３は、概略、充電端子７の端子面と同一の形状（本実施形態では矩形）及び同一の大きさに形成されている。
【００２５】
図４は、蓋体１９を内側面から見た斜視図である。図５は、蓋体１９の着脱過程における携帯電話機１の斜視図である。
【００２６】
蓋体１９は、筐体部材１７に対して取付方向ｙ１にスライドされて筐体部材１７に取り付けられる。また、蓋体１９は、筐体部材１７に対して取付方向ｙ１とは逆方向にスライドされて筐体部材１７から取り外される。そのような着脱を可能とするために、受話筐体５は、例えば、以下の構成を有している。
【００２７】
図４に示すように、蓋体１９の内側面には、取付方向ｙ１に延びる複数の突条２５が形成されている。一方、図３に示すように、被覆部１７ｂには、突条２５が挿入される複数の溝部２６が形成されている。なお、本実施形態においては、厳密には、溝部２６は、凹部１７ａの内壁と被覆部１７ｂとの稜部が切り欠かれることにより形成されており、溝部２６の一方の側面は筐体部材１７により、他方の側面はバッテリ２１により構成されている。溝部２６は、突条２５と同等の幅を有し、突条２５よりも長い。突条２５が溝部２６に案内されることにより、蓋体１９は、取付方向ｙ１の側方への移動が規制されつつ、筐体部材１７に対してスライドされる。
【００２８】
図４に示すように、蓋体１９の内側面には、蓋体１９を筐体部材１７に係合させるための複数の第１被係合部２７が形成されている。第１被係合部２７は、例えば、取付方向ｙ１の側方から見て概ねＬ字に形成された部分を有している。すなわち、蓋体１９の内側面に立設された立設部（不図示）と、当該立設部の頂部から取付方向ｙ１へ延びる延在部２７ａとを有している。
【００２９】
一方、図３に示すように、筐体部材１７の被覆部１７ｂには、第１被係合部２７に係合する複数の第１係合部２８が形成されている。第１係合部２８は、被覆部１７ｂの一部であり、第１係合部２８に対して取付方向ｙ１とは反対側に隣接する位置には、第１被係合部２７の延在部２７ａを挿通可能な孔部が形成されている。
【００３０】
蓋体１９が図５に示すように被覆部１７ｂに被せられると、延在部２７ａは、第１係合部２８に隣接する孔部を介して筐体部材１７の内部側に位置する。そして、蓋体１９が取付方向ｙ１にスライドされると、延在部２７ａは、第１係合部２８の内側面に対して係合する。これにより、蓋体１９の筐体部材１７に対する、当該蓋体１９の内側面及び外側面に直交する方向であって、筐体部材１７から離間する方向の移動が規制される。
【００３１】
図３〜図５に示すように、蓋体１９の取付方向ｙ１の端部には、取付方向ｙ１に突出する複数の第２被係合部２９が形成されている。第２被係合部２９は、蓋体１９の内側面寄りに配置されている。
【００３２】
一方、図３及び図５に示すように、筐体部材１７には、第２被係合部２９に係合する複数の第２係合部３０が形成されている。第２係合部３０は、筐体部材１７の、被覆部１７ｂに対して取付方向ｙ１において隣接する部分である。筐体部材１７は、蓋体１９が嵌合するように被覆部１７ｂが浅い凹状に形成されている。蓋体１９の取付方向ｙ１の端部が付き当てられる凹状の被覆部１７ｂの内壁には、第２係合部３０の直下において、第２被係合部２９が挿入される不図示の孔部が形成されている。
【００３３】
蓋体１９が取付方向ｙ１にスライドされると、第２被係合部２９は、不図示の孔部に挿入されて、第２係合部３０の内側面に対して係合する。これにより、蓋体１９の筐体部材１７に対する、当該蓋体１９の内側面及び外側面に直交する方向であって、筐体部材１７から離間する方向の移動が規制される。
【００３４】
図６（ａ）は、充電端子７の斜視図である。図６（ｂ）は、充電端子７の断面図である。図７は、携帯電話機１を充電端子７付近において破断して示す斜視図である。図８は、図７の領域ＶＩＩＩ付近を拡大して示す断面図である。図９は、蓋体１９を取付方向ｙ１とは反対側へスライドさせた状態において示す図８に対応する断面図である。
【００３５】
充電端子７は、充電装置９の給電端子１３に当接する外部端子部３１と、受話筐体５の内部に配置された電極部３７（図８及び図９）に当接する内部端子部３３と、外部端子部３１及び内部端子部３３を付勢する弾性部材３５とを有している。
【００３６】
外部端子部３１は、例えば、金属等の導電性部材により形成されている。図８及び図９に示すように、外部端子部３１は、筐体部材１７の内部側から外部側への方向及びその反対方向（移動方向ｙ２）において筐体部材１７に対して移動可能に筐体部材１７により保持されている。具体的には、以下のとおりである。
【００３７】
筐体部材１７には、外部端子部３１を取り付けるための貫通孔３９（図８及び図９）が形成されている。一方、外部端子部３１は、貫通孔３９に挿通される被挿通部３１ａと、被挿通部３１ａの筐体部材１７の外部側において設けられた当接部３１ｂと、被挿通部３１ａの筐体部材１７の内部側において設けられた被規制部３１ｃとを有している。
【００３８】
被挿通部３１ａは、例えば、円筒状に形成されている。なお、貫通孔３９の開口形状は、例えば、被挿通部３１ａの軸方向に直交する断面形状（円形）と同一形状である。被挿通部３１ａの軸方向の長さ（当接部３１ｂと被規制部３１ｃとの距離）は、貫通孔３９の深さ（筐体部材１７の貫通孔３９を構成する部分の厚さ）よりも大きい。
【００３９】
当接部３１ｂは、充電装置９の給電端子１３が当接する部分である。当接部３１ｂは、例えば、矩形の板状に形成されている。当接部３１ｂは、貫通孔３９に挿入不可能な大きさに形成されている。従って、外部端子部３１の筐体部材１７の内部側への移動は、当接部３１ｂが貫通孔３９の周囲において筐体部材１７の外面に係合することにより規制される。
【００４０】
被規制部３１ｃは、例えば、円盤状に形成されている。被規制部３１ｃは、貫通孔３９に挿入不可能な大きさに形成されている。従って、外部端子部３１の筐体部材１７の外部側への移動は、被規制部３１ｃが貫通孔３９の周囲において筐体部材１７の外面に係合することにより規制される。なお、筐体部材１７の、被規制部３１ｃが係合する部分を規制部４１ということがある。
【００４１】
上記のような構成により、外部端子部３１は、貫通孔３９の貫通方向（移動方向ｙ２）において移動可能に筐体部材１７により保持される。その移動範囲は、当接部３１ｂ及び被規制部３１ｃによって規定される。
【００４２】
内部端子部３３は、例えば、金属等の導電性部材により形成されている。図８及び図９に示すように、内部端子部３３は、外部端子部３１に対して移動方向ｙ２において移動可能に連結されている。これにより、内部端子部３３を電極部３７に当接させたまま、外部端子部３１を移動方向ｙ２へ移動させることができる。
【００４３】
このような連結は、例えば、外部端子部３１に筐体部材１７の内部側に開口する凹部３１ｄが形成され、内部端子部３３が凹部３１ｄに移動可能に挿入されることにより実現される。
【００４４】
凹部３１ｄは、例えば、移動方向ｙ２に直交する断面形状が円形に形成され、開口側（筐体部材１７の内部側）においては縮径している。内部端子部３３は、例えば、概略、移動方向ｙ２を軸とする円柱状に形成されている。また、内部端子部３３は、凹部３１ｄに挿入される側の端部に、凹部３１ｄ内を摺動するとともに、凹部３１ｄの開口側の縮径部（係合部）に係合し、内部端子部３３の外部端子部３１からの脱落を防止する拡径部（被係合部）を有している。
【００４５】
弾性部材３５は、例えば、軸方向において圧縮されて付勢力を生じるコイルバネにより構成されている。弾性部材３５は、移動方向ｙ２を軸方向にして凹部３１ｄに収容されており、外部端子部３１及び内部端子部３３を互いに反対方向（移動方向ｙ２の両側）へ付勢する。従って、弾性部材３５は、内部端子部３３を筐体部材１７の内部側へ付勢して内部端子部３３を電極部３７に当接させるとともに、電極部３７から反力を受けた内部端子部３３に支持されて外部端子部３１を筐体部材１７の外部側へ付勢する。弾性部材３５は、金属等の導電性部材により構成されることが好ましい。
【００４６】
図８及び図９に示すように、筐体部材１７の外側面には、外部端子部３１の当接部３１ｂを収容可能な凹部４３が形成されている。充電端子７を保持するための貫通孔３９は、凹部４３の底部に形成されている。凹部４３は、例えば、当接部３１ｂと概ね同一の形状（本実施形態では薄型の直方体）である。当接部３１ｂは、移動方向ｙ２における移動により、筐体部材１７の外側面から少なくとも一部が突出する位置（図８）と、突出しない位置（図９）との間で移動可能である。
【００４７】
筐体部材１７の外側面には、蓋体１９の内側面が当接又は近接している。そして、外部端子部３１の当接部３１ｂは、移動方向ｙ２における移動により、蓋体１９の開口部２３に少なくとも一部が挿入される位置（図８）と、開口部２３から退避した位置（図９）との間で移動可能である。
【００４８】
開口部２３の内周面と、蓋体１９の内側面との稜部には、面取り面１９ｒが形成されている。面取り面１９ｒは、平面であってもよいし、曲面であってもよい。面取り面１９ｒは、比較的大きく形成されており、例えば、移動方向ｙ２における大きさは、開口部２３の深さ（蓋体１９の厚さ）の１／３〜２／３である。なお、開口部２３の内周面と蓋体１９の外側面との稜部にも面取り面が形成されてよい。
【００４９】
面取り面１９ｒが形成されることにより、開口部２３は、蓋体１９の内側面から外側面へいくにつれ、外部端子部３１の当接部３１ｂを挿入可能な大きさから挿入不可能な大きさに縮径している。従って、図８に示すように、外部端子部３１は、蓋体１９の外側面から突出しない位置にて、面取り面１９ｒによって筐体部材１７の外部側への移動は規制される。このとき、当接部３１ｂは、筐体部材１７の外側面から完全に突出しない（当接部３１ｂの被挿通部３１ａ側の一部が凹部４３に収容されている）位置にある。
【００５０】
外部端子部３１は、頂部が面取り面１９ｒに当接して開口部２３への挿入量が規制されているから、面取り面１９ｒの蓋体１９の内側面からの大きさ（移動方向ｙ２における大きさ）は、外部端子部３１の開口部２３への挿入量よりも大きい。
【００５１】
なお、このような、当接部３１ｂが、蓋体１９の外側面から突出せず、また、筐体部材１７の外側面から完全に突出しない位置における規制は、面取り面１９ｒに代えて若しくは面取り面１９ｒと併用して、被規制部３１ｃ及び規制部４１によってなされてもよい。被規制部３１ｃ及び規制部４１による規制により、外部端子部３１の開口部２３への挿入量が面取り面１９ｒの蓋体１９の内側面からの大きさよりも小さくされてもよい。
【００５２】
蓋体１９を筐体部材１７から取り外したときには、被規制部３１ｃ及び規制部４１によって外部端子部３１の突出方向の位置が規制される。そのときも、当接部３１ｂは完全には筐体部材１７から突出しない。
【００５３】
電極部３７は、筐体部材１７に対して固定されている。例えば、電極部３７は、筐体部材１７の内部において筐体部材１７に対して固定された回路基板３８の実装面に設けられることにより、筐体部材１７に対して固定されている。電極部３７は、例えば、貫通孔３９に対向する板状（層状）部材である。
【００５４】
以上の構成を有する携帯電話機１では、蓋体１９が筐体部材１７に取り付けられた状態では、図８に示すように、弾性部材３５によって付勢された外部端子部３１が開口部２３に挿入される。これにより、外部端子部３１は、蓋体１９の外側面に近づく。また、外部端子部３１は、開口部２３に係合し、蓋体１９の取付方向ｙ１とは反対側への移動が規制される。
【００５５】
この状態から、外部端子部３１の蓋体１９に対する係合力よりも大きな力を蓋体１９に対して取付方向ｙ１とは反対方向に加えると、弾性部材３５が圧縮されて外部端子部３１が開口部２３から退避する。そして、図９に示すように、蓋体１９は、取付方向ｙ１とは反対方向へスライドされて、蓋体１９は取り外される。
【００５６】
蓋体１９を筐体部材１７に取り付けるときには、蓋体１９の内側面により外部端子部３１を押し下げつつ、図５及び図９に示す状態とし、その後、蓋体１９を取付方向ｙ１にスライドさせる。開口部２３が外部端子部３１上に位置すると、外部端子部３１は弾性部材３５の付勢力によって開口部２３に挿入され、図９の状態となる。
【００５７】
図１０は、携帯電話機１が充電装置９に載置された状態における充電端子７及び給電端子１３周辺の断面図である。
【００５８】
給電端子１３は、開口部２３に挿入されて充電端子７の外部端子部３１に当接する外部端子部４５と、外部端子部４５を外部端子部３１へ当接させる方向へ付勢する弾性部材４７とを有している。
【００５９】
外部端子部４５及び弾性部材４７は、例えば、線材により一体的に構成されており、線材の巻き回された部分が弾性部材４７を構成し、線材の一端が外部端子部４５を構成する。なお、線材の他端は、例えば、充電筐体１１内に設けられた不図示の回路基板に固定される。
【００６０】
外部端子部４５は、充電筐体１１に形成された孔部４９から充電筐体１１の外部へ突出している。そして、開口部２３に挿入されて、充電端子７の外部端子部３１に当接している。弾性部材４７は、巻き締め方向又は巻き戻し方向に付勢力を生じるコイルバネにより構成されている。
【００６１】
携帯電話機１が充電装置９に載置された状態において、充電端子７の弾性部材３５の付勢力は、給電端子１３の弾性部材４７の付勢力よりも大きい。従って、携帯電話機１を充電装置９に載置するときには、充電端子７の外部端子部３１は筐体部材１７内に押し戻されない。給電端子１３の外部端子部４５は充電筐体１１内に押し戻され、弾性部材４７の付勢力は接点圧となる。なお、弾性部材３５の付勢力の、弾性部材４７の付勢力との差分は、蓋体１９の面取り面１９ｒからの反力により打ち消される。
【００６２】
以上の実施形態によれば、携帯電話機１は、筐体部材１７と、筐体部材１７に着脱可能であり、開口部２３が形成された蓋体１９と、筐体部材１７に保持され、開口部２３から露出する充電端子７とを有する。充電端子７は、開口部２３内に挿入される位置と開口部２３から退避した位置との間で移動可能な外部端子部３１と、外部端子部３１を挿入位置へ付勢する弾性部材３５とを有する。
【００６３】
従って、外部端子部３１の接触面（頂面）が蓋体１９の内側面よりも蓋体１９の外側に位置することになり、充電装置９の給電端子１３を充電端子７に当接させることが容易化される。その一方で、外部端子部３１は蓋体１９の内側面よりも筐体部材１７側に退避可能であることから、充電端子７が蓋体１９の着脱を阻害することが抑制される。
【００６４】
図１０に示すように、給電端子１３は、孔部４９と給電端子１３との隙間の大きさに応じて孔部４９の貫通方向に対して傾斜可能である。給電端子１３が長くなると、給電端子１３の端部の孔部４９に対する孔部４９の径方向へのずれ量は大きくなる。仮に、外部端子部３１が蓋体１９の外側面から奥まったところにあると、給電端子１３を長くしなくてはならず、給電端子１３のずれ量が大きくなる。その結果、外部端子部３１の面積を大きくしたり、孔部４９の精度を上げたりしなければならない。しかし、外部端子部３１が開口部２３に挿入され、蓋体１９の外側面に近いところに位置していることから、そのような不都合が生じることが抑制される。
【００６５】
充電端子７は、外部端子部３１に対して移動可能に連結され、筐体部材１７内の電極部３７に当接される内部端子部３３を有し、弾性部材３５は、内部端子部３３の電極部３７側への付勢に兼用されている。従って、内部端子部３３の電極部３７に対する接点圧を確保するための付勢力を利用して外部端子部３１を開口部２３に挿入することができ、部材点数の削減が図られる。
【００６６】
筐体部材１７には、開口部２３に対向する貫通孔３９が形成され、外部端子部３１は、貫通孔３９にその貫通方向（移動方向ｙ２）に移動可能に挿通されている。電極部３７は、貫通孔３９に対向して設けられ、外部端子部３１には、電極部３７側に開口する凹部３１ｄが形成され、内部端子部３３は、貫通方向に移動可能に凹部３１ｄに挿入されている。弾性部材３５は、凹部３１ｄ内において内部端子部３３と外部端子部３１とにより貫通方向において圧縮された状態で保持されている。従って、３部材により構成された簡素な構造により、上述の外部端子部３１の筐体部材１７に対する移動、内部端子部３３の外部端子部３１に対する移動、及び、弾性部材３５による外部端子部３１及び内部端子部３３の付勢が実現される。
【００６７】
蓋体１９は、外部端子部３１が開口部２３内に挿入され且つ蓋体１９の外側面から突出しない位置であるときに、外部端子部３１の蓋体１９の外側面への移動を規制する方向において外部端子部３１に係合する面取り面１９ｒを有している。従って、外部端子部３１が蓋体１９の外側面よりも突出することにより短絡が生じることが抑制される。
【００６８】
なお、同様の機能は、筐体部材１７に設けられた規制部４１によっても果たされる。規制部４１は、さらに、充電端子７の筐体部材１７からの脱落を防止することにも寄与する。
【００６９】
筐体部材１７は、蓋体１９の筐体部材１７の外側面に対するスライドにより、蓋体１９の筐体部材１７の外側面からの離間を規制する方向において蓋体１９に係合する係合部（２８、３０）を有する。すなわち、蓋体１９は、スライドされることにより筐体部材１７に着脱されるものである。このような着脱方式の蓋体１９においては、外部端子部３１が開口部２３に挿入される構成であると、蓋体１９の着脱性が著しく低下する。しかし、上述のように、外部端子部３１が開口部２３から退避可能であることにより、スライド式の蓋体１９に対しても、開口部２３に挿入される外部端子部３１を適用することができる。
【００７０】
外部端子部３１は、係合部（２８、３０）が蓋体１９に係合したときに、係合部の係合を解除する方向（取付方向ｙ１の反対方向）の蓋体１９のスライドを規制する方向において開口部２３に係合する。従って、外部端子部３１は、蓋体１９のスライド方向の係合にも利用されることになる。一般には、第２被係合部２９及び第２係合部３０において、取付方向ｙ１の反対方向のスライドを規制する爪部が設けられることが多い。しかし、そのような爪部を省略したり、若しくは、第２被係合部２９及び第２係合部３０自体を省略することが可能となる。
【００７１】
外部端子部３１は、開口部２３に挿入されているときに蓋体１９の外側面から突出しない位置に位置している。開口部２３の内周面と蓋体１９の内側面との稜部には、蓋体１９の内側面からの大きさが外部端子部３１の開口部２３への挿入量よりも大きい面取り面１９ｒが形成されている。従って、蓋体１９をスライドさせて蓋体１９を筐体部材１７から取り外すときには、面取り面１９ｒによってスライド方向の力を外部端子部３１を押し下げる力に変換することが容易化される。その結果、蓋体１９の取り外しが容易化される。
【００７２】
電子機器ユニット１０は、携帯電話機１と、携帯電話機１が載置される充電装置９とを有する。携帯電話機１は、上述したように、筐体部材１７、蓋体１９及び充電端子７を有する。充電装置９は、携帯電話機１が載置されたときに充電端子７に当接する給電端子１３を有する。充電端子７は、上述のように、外部端子部３１及び弾性部材３５を有する。給電端子１３は、携帯電話機１が充電装置９に載置されたときに、開口部２３に挿入されて外部端子部３１に当接する外部端子部４５を有する。また、充電端子７は、外部端子部４５を外部端子部３１へ当接させる方向へ付勢する弾性部材４７を有する。携帯電話機１が充電装置９に載置された状態において、弾性部材３５の付勢力は、弾性部材４７の付勢力よりも大きい。従って、上述した携帯電話機１における、開口部２３に充電端子７の外部端子部３１が挿入されることによる効果が、給電端子１３の弾性部材４７によって接点圧が確保された場合においても奏される。
【００７３】
なお、以上の実施形態において、携帯電話機１は本発明の電子機器の一例であり、充電装置９は本発明の外部機器の一例である。
【００７４】
本発明は、以上の実施形態に限定されず、種々の態様で実施されてよい。
【００７５】
電子機器は、携帯電話機に限定されない。例えば、電子機器は、デジタルカメラ、ＰＤＡ、ゲーム機、音楽再生プレーヤであってもよい。筐体は、開閉可能に構成されたものや、直方体状に形成されたものに限定されない。例えば、筐体は、球形や円盤状のものであってもよい。
【００７６】
電子機器の端子（第１端子）は、充電端子に限定されない。例えば、電子機器の端子は、外部機器との間で音響信号や画像信号等の信号を送受信するものであってもよい。電子機器の端子は、筐体部材に対して直接的に保持されている必要はない。例えば、筐体部材に対して回路基板が固定され、実施形態の電極部及び内部電極部に相当する部分が一体的に形成されるとともに回路基板に実装されることにより、電子機器の端子が筐体部材に保持されていてもよい。
【００７７】
電子機器の弾性部材（第１弾性部材）は、コイルバネに限定されない。例えば、板バネやゴムであってもよい。電子機器の弾性部材は、外部端子部及び内部端子部の付勢に兼用されなくてもよい。例えば、電子機器の端子は、外部端子部と、内部端子部と、外部端子部及び内部端子部をそれぞれ移動可能に保持し、筐体に保持される保持部と、保持部に対して外部端子部及び内部端子部をそれぞれ付勢する２つの弾性部材とを有していてもよい。
【００７８】
電子機器の弾性部材は、外部端子部及び内部端子部の付勢に兼用される場合、これらを同一方向に付勢しなくてもよい。例えば、巻き締め方向又は巻き戻し方向において復元力を生じるコイルバネにより、互いに異なる方向において外部端子部及び内部端子部を付勢してよい。また、電子機器の弾性部材は、外部端子部及び内部端子部と一体的に形成されてもよい。
【００７９】
外部端子部と内部端子部とは直接的に移動可能に連結されていなくてもよい。例えば、上述したように、端子は、外部端子部及び内部端子部をそれぞれ移動可能に保持する保持部を有していてもよい。
【符号の説明】
【００８０】
１…携帯電話機（電子機器）、７…充電端子、１７…筐体部材、１９…蓋体、２３…開口部、３１…外部端子部、３３…弾性部材。
【図１】
2010220082.tif 000003
【図２】
2010220082.tif 000004
【図３】
2010220082.tif 000005
【図４】
2010220082.tif 000006
【図５】
2010220082.tif 000007
【図６】
2010220082.tif 000008
【図７】
2010220082.tif 000009
【図８】
2010220082.tif 000010
【図９】
2010220082.tif 000011
【図１０】
2010220082.tif 000012